(57)【特許請求の範囲】
【請求項１】
果樹において、該樹の樹液流速を測定し、午前中の最高測定値、第２位、そして第３位の上位３点の平均値を、午後の最高測定値、第２位、そして第３位の上位３点の平均値で除したものである該樹液流速の勾配の傾き値を算出し、当該日に、前記傾き値が基準値より所定割合低下したら、水ストレスと判断し、灌水通知をすることを特徴とする果樹における水ストレスの判別法。
【発明の詳細な説明】
【技術分野】
【０００１】
この発明は、果樹における水ストレスの判別方法に関する。
【背景技術】
【０００２】
従来、ぶどうや桃等果樹の灌水は大方、一週間に一日する程度であり、この灌水時期の判断は、晴れた日数や土の乾き具合を見るなど、生産者の勘と経験に頼ることが多い。しかし、実際には、樹木の根は地中深くまで張っているため、土壌水分計を使っても地表近くの水分しか測定できず、正確な水ストレス（乾燥ストレスともいう）は計測できないものであった。
【０００３】
特に、果樹であるぶどうや桃は、水ストレスに敏感であり、仮に、過灌水（水のやりすぎ）の場合には、根腐れ、桃においては糖度低下を生じ、ぶどうの場合には着色不良の原因となっている。また、灌水が不足すると、桃の渋味やぶどう果粒の軟化、早期落葉の危険性がある。
【０００４】
従って、無降雨日数や土壌の乾燥程度に基づいて行った，生産者の勘と経験による果樹の灌水判断は、正確さに欠けており、樹体の水ストレスは測定できず、果実品質（糖度、着色）の向上には、適度な水ストレスが必要であり、特に、乾燥地であっても、最低限の水で効果的な灌水をする必要がある。
【０００５】
このように、近年の果実に対する高級志向（高品質）を満足するためには、精密な灌水管理が必要であり、長年の生産者の勘に頼るよりも、生体情報に基づき灌水を行う必要がある。
【０００６】
そのため、勘と経験から判断するよりも、植物生体反応の面から水分状態を判断することとし、樹液流速は気孔の開閉を反映し、樹体の水ストレスを把握できる可能性はあるが、本発明者らは、未確立の状態にあった樹液流速の変化パターンからの水ストレスの判別方法を行うものである。
【発明の開示】
【発明が解決しようとする課題】
【０００７】
そこで、この発明は、未確立の状態であった，果樹の樹液流速の変化パターンからの水ストレスの判別方法を開発・提供し、生産者のより精密な灌水判断を促すことにある。
【課題を解決するための手段】
【０００８】
この発明は、樹体に水分が少なくなると、樹液の流れが遅くなるという現象に着目し、日々の樹液流速を計測し、その変化に基づいて水分ストレスを判断し、精密な灌水に利用しようとするものである。
【０００９】
正確に樹液流速を算出するためには、センサー長を樹の大きさなどにより変える必要があり、困難であるが、この発明は樹液流速の相対的な変化パターンに注目することによりこの問題を解決しようとするものである。
【発明の効果】
【００１０】
この発明によると、樹液流速の変化パターンを、変化パターンの勾配に基づき水ストレスを把握することができ、これにより、果樹へ精密に灌水判断を行うことにより、過灌水または過乾燥による果実品質及び収量の低下を防ぐことができる。また、乾燥地域での節水技術に利用できる等の極めて有益なる効果を奏するものである。
【発明を実施するための最良の形態】
【００１１】
先ず、図１は、樹液流速センサーの原理を説明する説明図であり、図２は、ぶどう樹への樹液流速センサーの設置状態を示す説明図であり、図３は、樹液流速の変化パターンに基づく灌水判断時期のグラフ図であり、横軸は、８月８日より８月１１日〔１日が２４時間〕までの時間を表し、縦軸は、温度差から換算した樹液流速を示すグラフ図であり、図４は、樹液流速の傾きの計算手段を示す説明図である。
【実施例】
【００１２】
この発明の一実施例を図面に従って詳述すると、請求項１の発明は、果樹において、樹体（１）の樹液流速を測定し、該樹液流速の変化パターンから水ストレスの兆候を判別することを特徴とする水ストレスの判別法から構成されるものである。
【００１３】
また、請求項２に記載した樹液流速の変化パターンは、日々測定・表示する樹液流速の測定値から得られた勾配の変化に基づくものであり、そして、請求項３に記載した樹液流速の勾配は、午後の樹液流速値と午前の樹液流速値とを指標とした傾き値であり、さらに、請求項４に記載した樹液流速の勾配の傾き値は、午前中の最高測定値、第２位、そして第３位の上位３点の平均値を、午後の最高測定、第２位、そして第３位の上位３点の平均値で除したものである。
【００１４】
なお、この発明に使用する樹液流速の計測は、樹体（１）に挿入した温度センサー（２）〔サップフローセンサー〕を用いるもので、一対のセンサーの温度差から算出するものであり、先端部側のセンサー（２ａ）にはヒーター（３）が設置されており、熱を発生する。そして、樹液流速が速いとヒータ（３）の熱が冷却され、後端部側のセンサー（２ｂ）との温度差が小さくなる性質を利用したものである。
【００１５】
さらに、詳しくは、この発明は、果樹が水ストレスを受けた場合、樹液流速は午前１０時までにピークを迎え、その後、暫時減ずる日変化パターンを示すため、この際の樹液流速の傾き値（午後の値／午前の値）を指標とし、この変化に基づき水ストレスを把握するものである。
【００１６】
その対象とする樹体（１）のサップフローセンサー（２）の長さは１３ｍｍとし、ぶどうにおいては、棚面では日射の影響を避けるため極力下向きとし、かつ、幹の肥大方向に設置する。桃においては南面、上面を避け、節のない滑らかな幹に設置することが望ましい。
【００１７】
樹内の設置位置は、先端ほど水ストレスを受けやすく、検出感度が高まるが、幹径が細くなると樹液流速値が不安定になる可能性があるため、主枝中央部（先端から２〜３ｍ付近）に設置する。
【００１８】
圃場内では最も生育の良好な果樹（樹冠が大きい。樹勢が強い）２樹を代表樹とし、センサーを設置する。尚、ぶどうの樹液流路は幹の肥大の大きい部位に主に分布し、桃の主要な樹液流路は、ぶどうとは異なり年輪に沿って断続的に分布している。
【００１９】
尚、センサーの設置方法としては、
１）センサー長は、１３ｍｍとし、ぶどうにおいては、棚面では日射の影響を避けるため極力下向きとし、かつ幹の肥大方向に設置する。
２）樹内の設置位置は、先端ほど水ストレスを受けやすく、検出感度が高まるが、幹径が細くなると樹液流速値が不安定になる可能性があるので、主枝中央部に設置する。
３）圃場内では最も生育の良好な樹（樹冠が大きい，樹勢が強い）２樹を代表樹とし、センサーを設置する。
【００２０】
次に、樹液流速及び日射の計測について、
樹液流速及び日射について、５秒ごとに計測し、１０分間の平均値を記録する。（これまでの瞬間値と平均値の間に大きな差はないことから、実際の制作装置では瞬間値でも使用可能と考えられる。その場合より短い間隔で記録する方が日射確保できる可能性が高いので、５分間にしてもよい。
【００２１】
さらに、日射の補正について、
１）日射強度（光合成有効放射量）８００μｍｏｌ  ｓ−１，ｍ−２未満の時は、水ストレスに関係なく樹液流速が大きく減少し、バラツキも大きくなるので、８００μｍｏｌ  ｓ−１，ｍ−２未満の樹液流速値は除去する。
２）日射強度８００μｍｏｌ  ｓ−１，ｍ−２以上では樹液流速値値と直線比例関係にあり、１５００μｍｏｌ  ｓ−１，ｍ−２の樹液流速値を１とすると、例えば、８００μｍｏｌ  ｓ−１，ｍ−２では０．８３となるので、〔補正後の樹液流速値＝（日射強度×０．０００２＋０．６３５７）×樹液流速値〕の式により補正する。
【００２２】
傾きの算出について、１４時から１５時までの樹液流速値（補正済み）最大値３点を、７時から１１時までの値の樹液流速値（補正済み）の最大３点で除してその日の傾き値とする。日射量が少なく、３点確保できない場合は、傾きの判定を見送る。１４時から１５時（精度高く、日射確保日が多い）のデータ数が少ない場合は、１５時から１６時（９月以降日射確保が困難）、１３時から１４時（精度は多少低下するが日射確保日が多い）、１２時から１３時（精度は多少低下するが日射確保日が多い）の最大値３点を記載順に利用し、判定できる日を増やす。
【００２３】
水ストレス指数の判定
１）傾き値が例えば１．７以上、０．３未満の値はエラー表示し、演算値から除外する。
２）曇天により傾きが判定できなかった日を除く直近５日分の傾き値を抽出。
３）５データの内、乾燥状態（傾きは小さくなる）を極力排除するため、上位３点の値のみを平均し、基準値（水ストレスを受けていないときの傾き値）として設定する。（生育初期などで５データに満たない場合は、４データの場合は上位３点、３データの場合は上位２点、２データの場合は２点、１データの場合は１点の平均値を基準値とする。）
４）当該日の傾き値が基準値より５％低下したら、水ストレスと判断し、灌水通知をする。（成熟期には１０または２０％低下まで乾燥させ、糖度と着色を高める。
５）経時的に変化する直近５日分データには、傾き値が基準値より５％低下し、水ストレスと判定した日は含めない。
【産業上の利用可能性】
【００２４】
この発明の技術を実施することにより、高品質の果実の生産が得られ、果樹産業の活性化を通じて産業上の利用可能性がある。
【図面の簡単な説明】
【００２５】
【図１】この発明に使用する樹液センサーの原理説明図である。
【図２】この発明に使用する樹液センサーの設置状況を示す説明図である。
【図３】この発明に使用する樹液流速の変化パターンのグラフ図である。
【図４】この発明に使用する樹液流速の変化パターンの説明図である。
【符号の説明】
【００２６】
１  樹体
２  温度センサー
２ａ  先端部側のセンサー
２ｂ  後端部側のセンサー
３  ヒーター
【図１】
0005366115.tif 000002
【図２】
0005366115.tif 000003
【図３】
0005366115.tif 000004
【図４】
0005366115.tif 000005